(57)【要約】【課題】片手で容易に蓋を開くことができる家庭用薄葉紙収納容器を実現する。【解決手段】家庭用薄葉紙収納容器１００の容器本体１０２を片手で把持し、その把持した片手で容器本体１０２を強く握り、容器本体１０２を押し潰すように変形させることにより、容器本体１０２に取り付けられた蓋体１０３も変形させることで、蓋体１０３の円環部１０６による小蓋部１２０の挿嵌部１２１に対する係止を解除して、ねじりコイルばね１２４の付勢力によって小蓋部１２０を容易に開くことを可能にした。【選択図】図７
2010189043.tif 000002
【特許請求の範囲】
【請求項１】
上方に開口した開口部を有し、内側に家庭用薄葉紙を収納する容器本体と、
前記開口部を閉塞するように前記容器本体に着脱自在に取り付けられ、前記家庭用薄葉紙を外側に取り出す取出部を具備する蓋体と、
前記取出部を開閉するように前記蓋体に回動可能に軸支された小蓋部と、を備え、片手で把持可能な大きさの家庭用薄葉紙収納容器であって、
前記蓋体に設けられ、前記小蓋部を閉状態にしたまま係止する係止部と、
前記小蓋部に設けられ、前記係止部により係止される被係止部と、
を有し、
前記容器本体を把持した手で、その容器本体の側面に所定の力を加えることにより、前記係止部による前記被係止部に対する係止が解除されるように構成されていることを特徴とする家庭用薄葉紙収納容器。
【請求項２】
前記容器本体を把持した手で、前記小蓋部が回動する軸心と交差する方向に所定の力を加えることで前記容器本体を変形させ、その容器本体の変形に伴って前記蓋体を歪ませることにより、前記係止部による前記被係止部に対する係止を解除することを特徴とする請求項１に記載の家庭用薄葉紙収納容器。
【請求項３】
前記小蓋部を前記取出部が露出する開状態側に付勢する付勢部材を備えることを特徴とする請求項１又は２に記載の家庭用薄葉紙収納容器。
【請求項４】
前記蓋体は前記容器本体に嵌合されて取り付けられていることを特徴とする請求項１〜３の何れか一項に記載の家庭用薄葉紙収納容器。
【発明の詳細な説明】
【技術分野】
【０００１】
本発明は、ウェットシートやティシュー等の家庭用薄葉紙を収納する家庭用薄葉紙収納容器に関する。
【背景技術】
【０００２】
従来、家屋の床やトイレ、或いは人体などを拭くための家庭用薄葉紙を収納する家庭用薄葉紙収納容器が知られている。
家庭用薄葉紙収納容器は、例えば、取出部を有する容器本体と、この容器本体に設けられて取出部を開閉する蓋と、この蓋を開いて取出部を露出させる操作を行うための操作部等を備えている。
【０００３】
そして、容器本体から家庭用薄葉紙を取り出す際に、蓋の近傍の押圧指定部を押下する操作によって蓋を開く構成の家庭用薄葉紙収納容器が知られている（例えば、特許文献１参照。）。
また、蓋の近傍に設けられた押しボタン部を押下する操作によって蓋を開く構成の家庭用薄葉紙収納容器が知られている（例えば、特許文献２参照。）。
【先行技術文献】
【特許文献】
【０００４】
【特許文献１】特開平９−３９９９６号公報
【特許文献２】特開２００６−２８０６８７号公報
【発明の概要】
【発明が解決しようとする課題】
【０００５】
しかしながら、上記特許文献１の場合、容器をテーブルや床面に載置した状態であれば片手で蓋を開放する操作を行うことはできるが、例えば、容器を片手で保持したままで、その保持した片手で蓋を開くことは困難であった。
また、上記特許文献２の場合、押しボタン部が蓋と同じ面に設けられているため、蓋が開いた取出部の面積が制限されるので、容器の設計の自由度が低くなるという問題があった。
【０００６】
本発明の目的は、片手で容易に蓋を開くことができる家庭用薄葉紙収納容器を提供することである。
【課題を解決するための手段】
【０００７】
以上の課題を解決するため、請求項１に記載の発明は、
上方に開口した開口部を有し、内側に家庭用薄葉紙を収納する容器本体と、
前記開口部を閉塞するように前記容器本体に着脱自在に取り付けられ、前記家庭用薄葉紙を上方外側に取り出す取出部を具備する蓋体と、
前記取出部を開閉するように前記蓋体の上部に回動可能に軸支された小蓋部と、を備え、片手で把持可能な大きさの家庭用薄葉紙収納容器であって、
前記蓋体に設けられ、前記小蓋部を閉状態にしたまま係止する係止部と、
前記小蓋部に設けられ、前記係止部により係止される被係止部と、
を有し、
前記容器本体を把持した手で、その容器本体の側面に所定の力を加えることにより、前記係止部による前記被係止部に対する係止が解除されるように構成されていることを特徴とする。
【０００８】
請求項２に記載の発明は、請求項１に記載の家庭用薄葉紙収納容器において、
前記容器本体を把持した手で、前記小蓋部が回動する軸心と交差する方向に所定の力を加えることで前記容器本体を変形させ、その容器本体の変形に伴って前記蓋体を歪ませることにより、前記係止部による前記被係止部に対する係止を解除することを特徴とする。
【０００９】
請求項３に記載の発明は、請求項１又は２に記載の家庭用薄葉紙収納容器において、
前記小蓋部を前記取出部が露出する開状態側に付勢する付勢部材を備えることを特徴とする。
【００１０】
請求項４に記載の発明は、請求項１〜３の何れか一項に記載の家庭用薄葉紙収納容器において、
前記蓋体は前記容器本体に嵌合されて取り付けられていることを特徴とする。
【発明の効果】
【００１１】
本発明によれば、家庭用薄葉紙収納容器は、容器本体を片手で把持し、その把持した片手で容器本体の側面を強く握るように所定の力を加えて、押し潰すように変形させることによって、容器本体に取り付けられた蓋体の係止部による小蓋部の被係止部に対する係止を解除することができ、容易に小蓋部を開くことができる。また、小蓋部が開いた取出部から家庭用薄葉紙を取り出すことができる。
そして、例えば、小蓋部を開状態側に付勢する付勢部材を備えれば、その付勢部材の付勢力によって小蓋部がより容易に開くこととなり、容器本体をワンプッシュする操作で小蓋部を開くことが可能になる。
よって、この家庭用薄葉紙収納容器は、片手で容易に蓋を開くことができ、中から家庭用薄葉紙Ｐを取り出すことができる容器である。
【図面の簡単な説明】
【００１２】
【図１】本発明に係る家庭用薄葉紙収納容器の閉状態を示す斜視図である。
【図２】本発明に係る家庭用薄葉紙収納容器の開状態を示す斜視図である。
【図３】本発明に係る家庭用薄葉紙収納容器の閉状態を示す側面図である。
【図４】本発明に係る家庭用薄葉紙収納容器の閉状態を示す背面図である。
【図５】図４のＡ−Ａ線に沿った面の矢視断面図である。
【図６】図５のＢ−Ｂ線に沿った面の矢視断面図である。
【図７】ユーザが家庭用薄葉紙収納容器の小蓋部を開いた状態を示す側面図である。
【発明を実施するための形態】
【００１３】
以下、図を参照して、本発明に係る家庭用薄葉紙収納容器の具体的な態様を詳細に説明する。ただし、発明の範囲は、図示例に限定されない。
【００１４】
図１は、本発明を適用した好適な実施形態として例示する家庭用薄葉紙収納容器１００の閉状態を示す斜視図であり、図２は、家庭用薄葉紙収納容器１００の開状態を示す斜視図である。図３は、家庭用薄葉紙収納容器１００の閉状態を示す側面図であり、図４は、家庭用薄葉紙収納容器１００の閉状態を示す背面図である。図５は、図４におけるＡ−Ａ線に沿った面の矢視断面図であり、図６は、図５におけるＢ−Ｂ線に沿った面の矢視断面図である。
【００１５】
本実施形態に係る家庭用薄葉紙収納容器１００は、例えば、図１〜図６に示すように、内側にロール状の家庭用薄葉紙Ｐ（例えば、ロール状に巻かれたウェットシートやウェットティシュー等のロールペーパー）を収納する容器本体１０２と、容器本体１０２に設けられた開口部１０２ａを閉塞するように容器本体１０２に着脱自在に取り付けられる蓋体１０３と、蓋体１０３に設けられた取出部１１０を開閉するように蓋体１０３に回動可能に軸支された小蓋部１２０等を備えて構成されており、片手で把持可能な大きさになっている。
この家庭用薄葉紙収納容器１００に収納するロール状に巻かれた家庭用薄葉紙Ｐには、長さ方向に一定間隔をおいてミシン目Ｐ１が施されており、そのミシン目に沿って切り離したサイズの家庭用薄葉紙Ｐを、ユーザが使用するようになっている。
なお、以下の説明では、家庭用薄葉紙収納容器１００の前後方向をＸ軸方向として、小蓋部１２０の回動軸１２３が設けられている側を後側とし、その反対側を手前側とする。さらに、正面視にて左右方向をＹ軸方向とし、上下方向をＺ軸方向とする。また、ユーザは容器の手前側から家庭用薄葉紙Ｐを取り出すものとする。
【００１６】
容器本体１０２は、下端面に底部を有し、上端側の縁が上方に開口した開口部１０２ａを有する略円筒形状のボトルであり、その開口部１０２ａが形成されている上端の外周面には、周方向に沿った雄部１０２ｂが設けられている。
また、容器本体１０２の側面には、ユーザが容器本体１０２（家庭用薄葉紙収納容器１００）を片手で把持し易くする左右一対の凹部１０４，１０４が設けられている。
なお、本実施形態における容器本体１０２は、例えば、ＰＥ（ポリエチレン）やＰＰ（ポリプロピレン）、ＰＥＴ（ポリエチレンテレフタレート）等、可撓性を有する樹脂材料から形成されている。
【００１７】
蓋体１０３は、天面部１０３ａを有するとともに下端が開放された略椀形状を成し、開放された下端の内周面には、容器本体１０２の雄部１０２ｂと螺合によって嵌合する雌部１０３ｂが設けられている。
そして、容器本体１０２と蓋体１０３とが、雄部１０２ｂと雌部１０３ｂとの螺合による嵌合によって着脱自在な連結構造をとり、容器本体１０２に対して蓋体１０３を開閉自在としているので、容器本体１０２から蓋体１０３を取り外した状態で、容器本体１０２の内部に家庭用薄葉紙Ｐを収納したり、家庭用薄葉紙Ｐを詰め替えたりすることができるようになっている。なお、本実施形態では、家庭用薄葉紙Ｐが上下方向（Ｚ軸方向）を芯（軸）とするようにロール状に巻かれた状態で容器本体１０２に収納されている。
【００１８】
蓋体１０３の天面部１０３ａには、容器本体１０２に収納されている家庭用薄葉紙Ｐを上方外側に取り出すための取出部１１０が設けられている。
取出部１１０は、天面部１０３ａから環状に立設された円環部１０６と、円環部１０６の内側となる天面部１０３ａに形成された取出孔１０７と、を備えている。
【００１９】
円環部１０６の上端には、図５に示すように、外側に向けて僅かに凸とされる縁部１０６ａが形成されており、この縁部１０６ａを有する円環部１０６は、小蓋部１２０を閉状態にしたまま係止する係止部として機能するようになっている。
取出孔１０７は、例えば、スリット状の開口であって、容器本体１０２内に収納された家庭用薄葉紙Ｐをミシン目Ｐ１に沿って切り離しつつ１枚ずつ引き出すことを可能に形成されている。
また、蓋体１０３の外面には、小蓋部１２０が連結される軸支部１０３ｃが設けられている。
なお、本実施形態における蓋体１０３は、例えば、ＰＥ（ポリエチレン）やＰＰ（ポリプロピレン）、ＰＥＴ（ポリエチレンテレフタレート）或いはＡＢＳ樹脂等から形成されている。
【００２０】
小蓋部１２０は、蓋体１０３の天面部１０３ａを覆うように下端が開放された略ドーム状の蓋であり、小蓋部１２０の後側には、Ｙ軸方向に延在する回動軸１２３が設けられている。
この回動軸１２３が、蓋体１０３の軸支部１０３ｃに連結されて軸支されることで、小蓋部１２０が蓋体１０３の上部で回動軸１２３を軸心として回動可能となり、取出部１１０の開閉を行うようになっている。また、回動軸１２３には、図４、図６に示すように、小蓋部１２０を開状態側に付勢する付勢部材としてのねじりコイルばね１２４が装備されている。そして、小蓋部１２０は、ねじりコイルばね１２４の付勢力によって、開状態側に向けて常時付勢されている。
【００２１】
また、小蓋部１２０の内面には、図５に示すように、取出部１１０を閉状態とした際に蓋体１０３の円環部１０６を内挿するように嵌め込む挿嵌部１２１が設けられている。
挿嵌部１２１の下端には、図５に示すように、内側に向けて僅かに凸とされる縁部１２１ａが形成されており、この縁部１２１ａが円環部１０６の縁部１０６ａに係止される。すなわち、この挿嵌部１２１は、係止部としての円環部１０６により係止される被係止部として機能するようになっている。
また、小蓋部１２０における回動軸１２３近傍の外面には、回動軸１２３より斜め上向きに突設された鍔部１２２が設けられている。
なお、本実施形態における小蓋部１２０、例えば、ＰＥ（ポリエチレン）やＰＰ（ポリプロピレン）、ＰＥＴ（ポリエチレンテレフタレート）或いはＡＢＳ樹脂等から形成されている。
【００２２】
次に、家庭用薄葉紙収納容器１００の作用について説明する。
【００２３】
まず、ユーザは、何れか一方の手で、つまり片手で容器本体１０２を把持するように、家庭用薄葉紙収納容器１００を保持する。
そして、家庭用薄葉紙Ｐを取り出す際には、家庭用薄葉紙収納容器１００を保持した片手で容器本体１０２を握り締めるように押し潰し、容器本体１０２を変形させる。特に、容器本体１０２を把持した手で、小蓋部１２０の回動軸１２３の軸心方向（Ｙ軸方向）と交差する前後方向（Ｘ軸方向）に所定の力を加えて、容器本体１０２を押し潰すように変形させる。
この容器本体１０２を変形させることで、容器本体１０２に取り付けられている蓋体１０３が歪むこととなる。特に、蓋体１０３は螺合などの嵌合によって容器本体１０２にしっかり取り付けられており、その締結状態は比較的強固であるので、容器本体１０２の変形に伴って蓋体１０３が外れてしまうようなことはない。つまり、容器本体１０２が変形されると、その作用が蓋体１０３に伝達されて、容器本体１０２とともに蓋体１０３も変形して歪むこととなる。
【００２４】
そして、蓋体本体１０２が前後方向に押し潰される変形に伴う蓋体１０３の前後方向の歪みは、円環部１０６の歪みとなる。
この蓋体１０３の歪みに応じて円環部１０６が歪むことで、円環部１０６と挿嵌部１２１との間に隙間が生じるように、円環部１０６と挿嵌部１２１との嵌合状態が不安定なものとなる。この円環部１０６の変形が所定の歪みに達すると、円環部１０６による挿嵌部１２１の係止が解除される。
【００２５】
そして、円環部１０６による挿嵌部１２１の係止が解除された小蓋部１２０は、図７に示すように、ねじりコイルばね１２４の付勢力によって、取出部１１０が露出する開状態側に付勢されて開かれる。
このように、家庭用薄葉紙収納容器１００の容器本体１０２を把持した手で、その容器本体１０２の側面に所定の力を加えて変形させることにより、円環部１０６による挿嵌部１２１に対する係止を解除して、小蓋部１２０を開くことができる。
そして、小蓋部１２０が開かれて、露出された取出部１１０の取出孔１０７には、家庭用薄葉紙Ｐの一端が取り出し可能に保持されているので、この家庭用薄葉紙Ｐを引き出して使用することができる。
【００２６】
以上のように、家庭用薄葉紙収納容器１００は、容器本体１０２を片手で把持し、その把持した片手で容器本体１０２を強く握り、容器本体１０２を押し潰すように変形させることによって蓋体１０３を歪ませ、その蓋体１０３の円環部１０６による挿嵌部１２１の係止を解除させることができ、ねじりコイルばね１２４の付勢力によって小蓋部１２０を開くことができる。
そして、小蓋部１２０が開かれて露出された取出部１１０の取出孔１０７から、家庭用薄葉紙Ｐを引き出すことが可能になる。
つまり、ユーザは、家庭用薄葉紙収納容器１００の容器本体１０２を片手で把持して、その容器本体１０２をワンプッシュする操作によって変形させることで、円環部１０６による挿嵌部１２１の係止を解除して小蓋部１２０を開き、取出孔１０７から家庭用薄葉紙Ｐを引き出すことができる。
よって、この家庭用薄葉紙収納容器１００は、片手で容易に蓋を開いて、中から家庭用薄葉紙Ｐを引き出して取り出すことができる容器であるといえる。
【００２７】
なお、この家庭用薄葉紙収納容器１００の小蓋部１２０の開き方は、上記実施形態に限られるものではない。
例えば、家庭用薄葉紙収納容器１００の容器本体１０２を片手で把持して押し潰すことができないユーザは、小蓋部１２０の鍔部１２２を上方から下方に所定の力で押し下げる操作により、回動軸１２３を支点として小蓋部１２０の前端を天面部１０３ａから離間させるようにして、円環部１０６による挿嵌部１２１に対する係止を解除させて小蓋部１２０を開き、取出孔１０７から家庭用薄葉紙Ｐを引き出すようにしてもよい。
【００２８】
なお、以上の実施の形態においては、取出孔１０７の形状はスリット状の開口であるとしたが、本発明はこれに限定されるものではなく、例えば、円形等の小孔、十字状の切込孔など、家庭用薄葉紙Ｐをミシン目Ｐ１に沿って切り離しつつ１枚ずつ引き出すことが可能であれば、その開口は任意の形状であってよい。
また、家庭用薄葉紙収納容器１００に収納する家庭用薄葉紙Ｐは、ミシン目入りロール状シートであることに限らず、例えば、ミシン目入り積層状シート、折畳み積層状シート等、任意のシート形状であってもよく、各シートを１枚ずつ引き出すことが可能な取出孔であれば、取出孔の開口は任意の形状であってよい。
【００２９】
また、以上の実施の形態においては、ねじりコイルばね１２４による付勢力によって、小蓋部１２０が開状態側に向けて付勢されているとしたが、本発明はこれに限定されるものではなく、例えば、板ばね等、他のばね部材の付勢力を利用してもよい。
また、小蓋部に錘部を設け、その錘部が重力で下がる作用を利用して、小蓋部が開くようにしてもよい。
また、小蓋部と蓋体とを一体成型し、それらを連結する連結部材が変形する作用力を利用して、小蓋部が開くようにしてもよい。
【００３０】
また、その他、具体的な細部構造等についても適宜に変更可能であることは勿論である。
【符号の説明】
【００３１】
１００    家庭用薄葉紙収納容器
１０２    容器本体
１０２ａ  開口部
１０２ｂ  雄部
１０３    蓋体
１０３ａ  天面部
１０３ｂ  雌部
１０３ｃ  軸支部
１０６    円環部（係止部）
１０６ａ  縁部
１０７    取出孔
１２０    小蓋部
１２１    挿嵌部（被係止部）
１２１ａ  縁部
１２２    鍔部
１２３    回動軸（軸心）
１２４    ねじりコイルばね（付勢部材）
Ｐ        家庭用薄葉紙
【図１】
2010189043.tif 000003
【図２】
2010189043.tif 000004
【図３】
2010189043.tif 000005
【図４】
2010189043.tif 000006
【図５】
2010189043.tif 000007
【図６】
2010189043.tif 000008
【図７】
2010189043.tif 000009